【手続補正書】
【提出日】平成25年10月9日(2013.10.9)
【手続補正１】
【補正対象書類名】明細書
【補正対象項目名】００６９
【補正方法】変更
【補正の内容】
【００６９】
また、本実施の形態における端末装置の構成を図７に示す。図７に示すように、本実施の形態における端末装置では、基地局装置から送信されたパイロット信号を用いて推定した伝搬路推定値を上位層３４へ送り、それを一時点分だけ記憶しておく構成となっている。そして、このように記憶しておいた伝搬路推定値と、次の時点で推定した伝搬路推定値を上位層３４において比較し、その変動量に応じて移動速度に関する情報を算出するものとする。これは、一時点前の伝搬路推定値と次の時点の伝搬路推定値の相関を計算し、その相関値が閾値未満となる場合には、高速移動しているものと判断し、逆に、相関値が閾値以上である場合には、低速移動しているものと判断することにより、高速移動しているか否かを表わす情報（速度情報）を生成することができる。このように生成された速度情報はＣＳＩ算出部３６へ送られ、ＣＳＩ算出部３６では、速度情報を基に、ＥｘｐｌｉｃｉｔフィードバックとＩｍｐｌｉｃｉｔフィードバックのどちらのフィードバックを行うべきかの判断が行われる。この時、速度情報が低速移動を示す場合にはＥｘｐｌｉｃｉｔフィードバックを、高速移動を示す場合にはＩｍｐｌｉｃｉｔフィードバックを行うよう判断される。そして、伝搬路推定値を用いて、第１の実施形態に記載しているように、ＣＳＩの算出が行われ、算出されたＣＳＩは基地局装置へフィードバックされることとなる。また、速度情報も変調部３７で変調されて、基地局装置へフィードバックされ、基地局装置において空間多重する端末を選択するために用いられる。
【手続補正２】
【補正対象書類名】特許請求の範囲
【補正対象項目名】全文
【補正方法】変更
【補正の内容】
【特許請求の範囲】
【請求項１】
複数の送信アンテナを備えた基地局装置と、少なくとも１つ以上の端末装置とが通信を行う無線通信システムであって、
受信時の伝搬路情報に関する第１のフィードバック方法と第２のフィードバック方法との少なくとも２つの方法を備え、
前記基地局装置と前記端末装置の通信状況または前記端末装置の機能に応じて、前記端末装置が、前記第１のフィードバック方法と前記第２のフィードバック方法との２つの方法のいずれか一方によるフィードバックを行い、
前記基地局装置が、フィードバックされた前記伝搬路情報を基に空間多重伝送を行い、
前記第１のフィードバック方法と前記第２のフィードバック方法は、フィードバックに要するビット数が異なることを特徴とする無線通信システム。
【請求項２】
フィードバックに要するビット数が多い方は、受信時の伝搬路そのものを量子化したものをフィードバックする前記第１のフィードバック方法であり、フィードバックに要するビット数が少ない方は、送受信側で既知なものとして予め決めておいた、プリコーディングに用いられるベクトルの候補のいずれかを選択し、そのベクトルを示す情報をフィードバックする前記第２のフィードバック方法であることを特徴とする請求項１に記載の無線通信システム。
【請求項３】
前記フィードバックが行われる帯域幅が予め決められた閾値以上である場合に、前記第１のフィードバック方法を用い、前記帯域幅が前記閾値未満である場合に、前記第２のフィードバック方法を用いることを特徴とする請求項２に記載の無線通信システム。
【請求項４】
前記基地局装置と前記少なくとも１つ以上の端末装置との通信は、複数の周波数チャネルを用いて行われるものであって、前記周波数チャネル毎に前記第１のフィードバック方法と前記第２のフィードバック方法のいずれかを選択することを特徴とする請求項２に記載の無線通信システム。
【請求項５】
前記端末装置における受信品質が予め決められた閾値以上である場合には前記第１のフィードバック方法を用い、受信品質が前記閾値未満である場合には前記第２のフィードバック方法を用いることを特徴とする請求項２に記載の無線通信システム。
【請求項６】
前記端末装置における移動速度が予め決められた閾値未満である場合には前記第１のフィードバック方法を用い、移動速度が前記閾値以上である場合には前記第２のフィードバック方法を用いることを特徴とする請求項２に記載の無線通信システム。
【請求項７】
前記フィードバックを行う伝搬路情報の周波数変動を表わす値が予め決められた閾値以上であり、伝搬路が激しく変動している場合には前記第１のフィードバック方法を用い、周波数変動を表わす値が前記閾値未満であり、伝搬路が緩やかに変動している場合には前記第２のフィードバック方法を用いることを特徴とする請求項２に記載の無線通信システム。
【請求項８】
制御するセルの範囲が予め決められた閾値より狭い基地局装置と前記端末装置との通信においては前記第１のフィードバック方法を用い、制御するセルの範囲が前記閾値より広い基地局装置と前記端末装置との通信においては前記第２のフィードバック方法を用いることを特徴とする請求項２に記載の無線通信システム。
【請求項９】
前記基地局装置と複数の端末装置が通信を行う場合に、前記複数の端末装置のうち、同
じフィードバック方法で伝搬路情報に関するフィードバックを行った複数の端末装置を空間多重の対象として選択し、前記選択された複数の端末装置宛のそれぞれ異なる送信信号を空間多重して伝送することを特徴とする請求項１から７までのいずれか１項に記載の無線通信システム。
【請求項１０】
複数の送信アンテナを備えた基地局装置と、少なくとも１つ以上の端末装置とが通信を行い、受信時の伝搬路情報に関する第１のフィードバック方法と第２のフィードバック方法との少なくとも２つの方法を備える無線通信システムにおける基地局装置であって、
前記基地局装置と前記端末装置の通信状況または前記端末装置の機能に応じて、前記端末装置から、受信時の伝搬路情報に関する前記第１のフィードバック方法と前記第２のフィードバック方法とのいずれか一方によるフィードバックがなされた前記伝搬路情報を基に空間多重伝送を行い、
前記第１のフィードバック方法と前記第２のフィードバック方法とは、フィードバックに要するビット数が異なることを特徴とする基地局装置。
【請求項１１】
複数の送信アンテナを備えた基地局装置と、少なくとも１つ以上の端末装置とが通信を行う無線通信システムにおける基地局装置であって、
受信時の伝搬路情報に関するフィードバック方法として少なくとも２つの方法のうち前記端末装置がフィードバックする方法を切り替える基準となる帯域割り当て情報を前記端末装置に通知し、
前記第１のフィードバック方法と前記第２のフィードバック方法とは、フィードバックに要するビット数が異なることを特徴とする基地局装置。
【請求項１２】
複数の送信アンテナを備えた基地局装置と、少なくとも１つ以上の端末装置とが通信を行う無線通信システムにおける端末装置であって、
受信時の伝搬路情報に関するフィードバック方法として、前記基地局装置と前記端末装置の通信状況または前記端末装置の機能に応じて、第１のフィードバック方法と第２のフィードバック方法との少なくとも２つの方法を備え、
前記第１のフィードバック方法と前記第２のフィードバック方法とは、フィードバックに要するビット数が異なることを特徴とする端末装置。
【請求項１３】
複数の送信アンテナを備えた基地局装置と、少なくとも１つ以上の端末装置とが通信を行う無線通信システムにおける無線通信方法であって、
受信時の伝搬路情報に関する、フィードバックに要するビット数が異なる第１のフィードバック方法と第２のフィードバック方法との少なくとも２つの方法を備え、
前記基地局装置と前記端末装置の通信状況または前記端末装置の機能に応じて、前記端末装置が、前記第１のフィードバック方法と前記第２のフィードバック方法との２つの方法のいずれか一方によるフィードバックを行うステップと、
前記基地局装置が、フィードバックされた前記伝搬路情報を基に空間多重伝送を行うステップと、を有することを特徴とする無線通信方法。